(57)【要約】【課題】衛生的であり、輸送時に剥がれにくく、傷がつきにくく、中身を食べるときに剥がしやすく、安価である食品容器の蓋を提供する【解決手段】ＰＥＴフィルムと、アルミニウム箔と、シーラントフィルムと、により構成されるラミネートフィルムよりなる食品包装容器の蓋であって、前記食品包装容器の蓋は、外周部において前記容器本体と一部重なるように予め折り曲げられている折り曲げ部を有し、前記食品包装容器の蓋を容器本体に密着させることにより、容器の中身を密封することを特徴とする。【選択図】図１
2017071437.tif 000002
【特許請求の範囲】
【請求項１】
ＰＥＴフィルムと、アルミニウム箔と、シーラントフィルムと、により構成されるラミネートフィルムよりなる食品包装容器の蓋であって、
前記食品包装容器の蓋は、外周部において容器本体と一部重なるように予め折り曲げられている折り曲げ部を有し、
前記シーラントフィルムを前記容器本体に密着させることにより、容器の中身を密封することを特徴とする食品包装容器の蓋。
【請求項２】
前記シーラントフィルムは、ヒートシール材であることを特徴とする請求項１に記載の食品包装容器の蓋。
【請求項３】
前記折り曲げ部のシーラントフィルムは前記容器本体と密着しないことを特徴とする請求項１に記載の食品包装容器の蓋。
【請求項４】
前記シーラントフィルムは、容器本体の開口部周りのフランジの天面部にのみ密着され、前記シーラントフィルムの容器本体への密着部の外周部は、前記容器本体の開口部周りのフランジの外周部にまでは延長されないことを特徴とする請求項１に記載の食品包装容器の蓋。
【請求項５】
前記シーラントフィルムの前記容器本体との密着部の外周部は、容器本体の開口部周りのフランジの外周部から０．１ｍｍ乃至２ｍｍ離れていることを特徴とする請求項４に記載の食品包装容器の蓋。
【請求項６】
透明、あるいは半透明の前記ＰＥＴフィルムの前記アルミニウム箔側の面に印刷が施されることを特徴とする請求項１に記載の食品包装容器の蓋。
【発明の詳細な説明】
【技術分野】
【０００１】
本願は、食品包装容器に係り、より詳しくは、食品包装容器の蓋に関する。
【背景技術】
【０００２】
食品包装容器として、容器本体にフィルム状の蓋を密着させた容器が、多く利用されるようになってきた。
【０００３】
蓋に要求される要件は、衛生的であることの他に、外観がきれいであること、輸送時に剥がれにくく、傷がつきにくいこと、また、中身を食べるときに剥がしやすいこと、安価であること等が挙げられる。
【０００４】
従来のフィルム状の蓋は、例えば厚み３０μｍのアルミニウム箔の片側にポリエチレンフィルムを貼り、ポリエチレンフィルムの外側に容器本体と密着させるためにシール材を塗布し、アルミニウム箔の他側にはＯＰニスを塗布することが行われてきた。
【０００５】
また、剥がしやすくするために、特許文献１には、開封用タブを設けた蓋材が開示されているが、開封用タブがあっても開封しずらいものが発生することがあった。また、蓋材の強度・保形性のためにアルミニウム箔を薄くできなかった。
【０００６】
アルミニウム箔は、ガスバリヤー性、防湿性、遮光性に優れているものの、高価であるという欠点がある。
【先行技術文献】
【特許文献】
【０００７】
【特許文献１】特開２０１４−８４１２８
【発明の概要】
【発明が解決しようとする課題】
【０００８】
本発明の目的は、衛生的であり、外観がきれいであり、輸送時に剥がれにくく、傷がつきにくく、中身を食べるときに剥がしやすく、安価である食品容器の蓋を提供することにある。
【課題を解決するための手段】
【０００９】
本発明による食品包装容器の蓋は、ＰＥＴフィルムと、アルミニウム箔と、シーラントフィルムと、より構成されるラミネートフィルムであって、前記食品包装容器の蓋は、外周部において前記容器本体と一部重なるように予め折り曲げられている折り曲げ部を有し、前記シーラントフィルムを容器本体に密着させることにより、容器の中身を密封することを特徴とする。
【００１０】
前記シーラントフィルムは、ヒートシール材であることを特徴とする。
【００１１】
前記折り曲げ部のシーラントフィルムは前記容器本体と密着しないことを特徴とする。
【００１２】
前記シーラントフィルムは、容器本体の開口部周りのフランジの天面部にのみ密着され、前記シーラントフィルムの容器本体への密着部の外周部は、容器本体の開口部周りのフランジの外周部にまでは延長されないことを特徴とする。
【００１３】
前記シーラントフィルムの容器本体への密着部の外周部は、容器本体の開口部周りのフランジの外周部から０．１ｍｍ乃至２ｍｍ離れていることを特徴とする。
【００１４】
透明、あるいは半透明の前記ＰＥＴフィルムの前記アルミニウム箔側の面に印刷が施されることを特徴とする。
【発明の効果】
【００１５】
本発明の実施形態によれば、安価であるが丈夫であり、外観がきれいであって、中身を食べるときに剥がしやすい食品包装容器の蓋が提供される。
【００１６】
本発明の実施形態によれば、蓋本体部がお予め折り曲げられている折り曲げ部を有するので、剛性・保形性が確保され、生産装置内において搬送する際に引っかかることがない。
【００１７】
本発明の実施形態によれば、折り曲げ部のシーラントフィルムは容器本体と接着されないこと、及び折り曲げ部は指で引っ掛けることができることにより、中身を食べるときに蓋を剥がしやすくなる。
【００１８】
本発明の実施形態によれば、シーラントフィルムの容器本体への密着部の外周部は、容器本体の開口部周りのフランジの外周部にまでは延長されないので、中身を食べるときに蓋を剥がしやすくなる。
【図面の簡単な説明】
【００１９】
【図１】本発明の実施形態による容器本体とフィルム状の蓋を示す断面図である。
【図２】本発明の実施形態による食品包装容器の蓋の一例を容器本体側から見た平面図である。
【発明を実施するための形態】
【００２０】
以下、図面を参照して説明する。
図１は、本発明の実施形態による容器本体とフィルム状の蓋を示す断面図である。
【００２１】
図１を参照すると、容器本体１０にかぶせる、ＰＥＴフィルム３０と、アルミニウム箔２０と、シーラントフィルム４０と、により構成されるラミネートフィルムよりなる食品包装容器の蓋を形成する。
ここで、各構成物の厚み、寸法は、説明のため誇張して表した。
【００２２】
ここで、ＰＥＴフィルム３０は、最外部にあるので、万一輸送時に傷がついたとしても中身の密封に支障をきたしにくい。
【００２３】
透明、あるいは半透明のＰＥＴフィルム３０のアルミニウム箔２０側の面には印刷が施されても良い。印刷により、きれいな外観が得られ、また、印刷が内面側に施されることにより、印刷への傷も防止できる。
【００２４】
ＰＥＴフィルム３０は、５乃至１５μｍの厚さであることが好ましい。
【００２５】
アルミニウム箔２０は、ガスバリヤー性、防湿性、遮光性のための構成物である。
【００２６】
安価に仕上げるためにアルミニウム箔２０は、例えば、１８乃至２５μｍの厚みであることが好ましく、この厚みは、容器本体１０の開口部の口径に対応して決定する。
【００２７】
前記食品包装容器の蓋は外周部において容器本体１０と一部重なるように予め折り曲げられている折り曲げ部５０を有する。
【００２８】
通常ラミネートフィルムは弾力性があり、生産装置内において搬送する際に引っかかる等の問題がある。しかし、折り曲げ部５０があることにより剛性・保形性が確保でき、生産装置内における搬送が容易になる。
【００２９】
また、折り曲げ部５０があることにより、シーラントフィルム４０を加熱、加圧する際の剛性も確保できる。
【００３０】
シーラントフィルム４０は、前記食品包装容器の蓋の全面に貼られているが、シーラントフィルム４０を加熱、加圧する際、折り曲げ部５０のシーラントフィルム４０は、容器本体１０に向けて加圧されないので、容器本体１０に密着しない。
即ち、シーラントフィルム４０の内、容器本体１０に密着するのは、図１に示した密着部６０の部分だけである。
【００３１】
折り曲げ部５０のシーラントフィルム４０の容器本体１０への密着が無いこと、及び折り曲げ部５０は指で引っ掛けることができることにより、中身を食べるときに蓋を剥がしやすくなる。
【００３２】
シーラントフィルム４０は、ヒートシール材であって、熱が加えられると共に一定の圧力が加えられることによって、容器本体１０に収納された内容物を容器本体１０内に密封する。
【００３３】
図１に示したように、シーラントフィルム４０の密着部６０は、容器本体１０の開口部周りのフランジの天面に接着される。
【００３４】
シーラントフィルム４０の容器本体への密着部６０の外周部は、容器本体１０の開口部周りのフランジの外周部にまでは延長されない。図中の「Ａ」で示される寸法は、例えば、０．１ｍｍ乃至２ｍｍである。
【００３５】
前記「Ａ」が存在することにより、中身を食べるときに蓋を剥がしやすくなる。
【００３６】
また、図１中の「Ｂ」は、例えば、１．５ｍｍ以上であり、密閉を確保する。
【００３７】
また、蓋を剥がした後、蓋を再び被せることにより、前記食品包装容器の蓋と容器本体１０は密着しないものの、一般的な蓋としての機能は果たせる。
【００３８】
図２は、本発明の実施形態による食品包装容器の蓋の一例を容器本体１０側から見た平面図である。
【００３９】
図２の例では、食品包装容器の蓋の平面図において、各構成物が同芯状の円により表わされているが、他の形状、例えば、楕円形、三角形、四角形であっても良い。
【符号の説明】
【００４０】
１０  容器本体
２０  アルミニウム箔
３０  ＰＥＴフィルム
４０  シーラントフィルム
５０  折り曲げ部
６０  密着部
【図１】
2017071437.tif 000003
【図２】
2017071437.tif 000004